(57)【特許請求の範囲】
【請求項１】
複数の柱を有する住宅ユニットに取り付けられる分電盤の取り付け構造であって、
前記住宅ユニットの内壁の端部に凹部が設けられ、この凹部に埋め込まれるように前記分電盤が取り付けられ、
隣り合う前記柱が架け渡すように桟が設けられ、前記桟は内部に配線可能な空洞と前記分電盤の近傍に孔を有し、前記桟の孔を通る配線が前記分電盤と接続可能であり、
壁仕上げ材が、前記内壁に取り付けられている前記分電盤に延設して前記内壁に取り付けられている
ことを特徴とする分電盤の取り付け構造。
【請求項２】
請求項１に記載の分電盤の取り付け構造において、
前記壁仕上げ材が少なくとも前記内壁と前記分電盤の境界部分まで設けられていることを特徴とする分電盤の取り付け構造。
【請求項３】
請求項１または２に記載の分電盤の取り付け構造において、
前記壁仕上げ材は前記分電盤の一部を覆っていることを特徴とする分電盤の取り付け構造。
【請求項４】
請求項３記載の分電盤の取り付け構造において、
前記分電盤の一部は前記分電盤の側部であることを特徴とする分電盤の取り付け構造。
【請求項５】
請求項４記載の分電盤の取り付け構造において、
前記分電盤の側部の一部が壁仕上げ材で覆われた状態で、化粧材が前記分電盤の側部の一部を覆うように取り付けられていることを特徴とする分電盤の取り付け構造。
【請求項６】
請求項５に記載の分電盤の取り付け構造において、
前記内壁と前記分電盤の側部との間には凹部が設けられ、前記凹部に前記化粧材の少なくとも一部が満たされることを特徴とする分電盤の取り付け構造。
【請求項７】
請求項５または６に記載の分電盤の取り付け構造において、
前記化粧材の側部は前記内壁と垂直になるように設置されることを特徴とする分電盤の取り付け構造。
【請求項８】
請求項５〜７のいずれか一項に記載の分電盤の取り付け構造において、
前記化粧材は前記分電盤にビスで着脱可能に止められることを特徴とする分電盤の取り付け構造。
【請求項９】
請求項１〜８のいずれか一項に記載の分電盤の取り付け構造において、
前記分電盤が取り付けられた前記内壁の外側は外壁であり、この外壁側に充電器が配置されていることを特徴とする分電盤の取り付け構造。
【発明の詳細な説明】
【技術分野】
【０００１】
本発明は、分電盤の取り付け構造に関する。
【背景技術】
【０００２】
従来、ユニット住宅の分電盤の施工は、工場で、住宅ユニットの壁内における配線の分電盤への結線作業を行い、その後、内壁へ分電盤を止めねじ等で取付けていた。その後、建築現場において、住宅ユニットを組み立てて壁紙やクロス等の壁仕上げ材を内壁に取付ける際に、工場で取り付けた分電盤を内壁から一時的に取り外したり、分電盤を内壁に固定する止めねじ等を一時的に緩めたりする必要があった。そして、図５に示すように、壁仕上げ材９ｂを面材９ａ上に施工した後に、分電盤１０を壁仕上げ材９ｂ上に取付ける施工方法を採用していた。このように、分電盤１０の下に壁仕上げ材９ｂを取付けることにより、分電盤１０の周囲の美観を損なわず壁仕上げ材９ｂを取付けていた。
【先行技術文献】
【特許文献】
【０００３】
【特許文献１】特開２００８−２７１６７１号公報
【発明の概要】
【発明が解決しようとする課題】
【０００４】
しかし、工場で取り付けた分電盤を内壁から一時的に取り外したり、分電盤を内壁に固定するための止めねじを一時的に緩めたりすることを現場等で行うと作業効率が低下する。また、内壁に凹部を設けて分電盤を埋め込んで取付ける場合、埋め込み後の分電盤周囲に隙間があると、分電盤周囲の壁仕上げ材等を分電盤１０の周囲の美観を損なわずに取付けるための手間がかかっていた。
【０００５】
そのため、分電盤を内壁から取り外し等せずに、壁仕上げ材等を分電盤１０の周囲の美観を損なわずに内壁に取付けることが望まれる。
【０００６】
本発明は、分電盤を内壁から取り外し等せずに、壁仕上げ材等を内壁に取付けること可能にする分電盤の取り付け構造を提供することを目的とする。
【課題を解決するための手段】
【０００７】
上記課題の少なくとも一つを解決するために、請求項１に記載の分電盤の取り付け構造に係る発明は、例えば、図１に示すように、
複数の柱１，１を有する住宅ユニットに取り付けられる分電盤１０の取り付け構造であって、
前記住宅ユニットの内壁の端部に凹部７が設けられ、この凹部７に埋め込まれるように前記分電盤１０が取り付けられ、
隣り合う前記柱１，１に架け渡すように桟３が設けられ、前記桟３は内部に配線可能な空洞３ｂと前記分電盤１０の近傍に孔３ａを有し、前記桟３の孔３ａを通る配線５が前記分電盤１０と接続可能であり、
壁仕上げ材９ｂが、前記内壁に取り付けられている前記分電盤１０に延設して前記内壁に取り付けられていることを特徴とする。
【０００８】
請求項１に記載の発明によれば、桟３を柱１，１間に設けることにより配線５を桟３の内部を通して分電盤１０の近傍まで容易に導くことができ、分電盤１０の近傍の孔３ａから配線５を出すことにより配線５を所定の場所に集めることができるため、分電盤１０へ配線５を接続することが容易になり、且つ、前記壁仕上げ材９ｂが、前記内壁に取り付けられている前記分電盤１０に延設して前記内壁に取り付けることにより、分電盤１０を取り外す必要がなくなる。
【０００９】
請求項２に記載の発明は、例えば、図１に示すように、
請求項１に記載の分電盤の取り付け構造において、
前記壁仕上げ材９ｂが少なくとも前記内壁と前記分電盤１０の境界部分まで設けられていることを特徴とする。
【００１０】
請求項２に記載の発明によれば、前記壁仕上げ材９ｂが少なくとも前記内壁と前記分電盤１０の境界部分まで設けられていることにより、分電盤１０と内壁とに隙間がある場合でも壁仕上げ材９ｂを前記分電盤１０に接して設けることができるため、分電盤１０の周囲の美観を向上することができる。
【００１１】
請求項３に記載の発明は、例えば、図１に示すように、
請求項１または２に記載の分電盤の取り付け構造において、
前記壁仕上げ材９ｂは前記分電盤１０の一部を覆っていることを特徴とする。
【００１２】
請求項３に記載の発明によれば、前記壁仕上げ材９ｂは前記分電盤１０の一部を覆っていることにより、分電盤１０と内壁とに隙間がある場合でも前記壁仕上げ材９ｂにより隙間を確実に覆い隙間を隠すことができるため、分電盤１０の周囲の美観を向上することができる。
【００１３】
請求項４に記載の発明は、例えば、図１に示すように、
請求項３記載の分電盤の取り付け構造において、
前記分電盤１０の一部は前記分電盤１０の側部１０ａであることを特徴とする。
【００１４】
請求項４に記載の発明によれば、前記分電盤１０の一部が前記分電盤１０の側部１０ａであることにより、前記分電盤１０の側部１０ａに前記壁仕上げ材９ｂを取付けることができ、分電盤１０の外周における前記壁仕上げ材９ｂの施工が容易になるため、作業効率を向上することができる。
【００１５】
請求項５に記載の発明は、例えば、図１〜図３に示すように、
請求項４記載の分電盤の取り付け構造において、
前記分電盤１０の側部１０ａの一部が壁仕上げ材９ｂで覆われた状態で、化粧材２０が前記分電盤１０の側部１０ａの一部を覆うように取り付けられていることを特徴とする。
【００１６】
請求項５に記載の発明によれば、前記分電盤１０の側部１０ａの一部が壁仕上げ材９ｂで覆われた状態で、化粧材２０が前記分電盤１０の側部１０ａの一部を覆うように取り付けられることにより、化粧材２０により前記分電盤１０の側部１０ａを隠すことが可能となるため、更に分電盤１０の周囲の美観を向上できる。
【００１７】
請求項６に記載の発明は、例えば、図４に示すように、
請求項５に記載の分電盤の取り付け構造において、
前記内壁と前記分電盤１０の側部１０ａとの間には凹部７が設けられ、前記凹部７に前記化粧材２０の少なくとも一部が満たされることを特徴とする。
【００１８】
請求項６に記載の発明によれば、前記凹部７に前記化粧材２０の少なくとも一部が満たされることにより、前記凹部７を前記化粧材２０で塞ぐことが可能になるため、分電盤１０の周囲の美観を向上することができる。
【００１９】
請求項７に記載の発明は、例えば、図１〜図４に示すように、
請求項５または６に記載の分電盤の取り付け構造において、
前記化粧材２０の側部２０ａは前記内壁と垂直になるように設置されることを特徴とする。
【００２０】
請求項７に記載の発明によれば、前記化粧材２０の側部２０ａが前記内壁と垂直になるように設置されることにより、前記化粧材２０を分電盤１０に取付けた状態での分電盤１０の凹部７への埋め込む深さを容易に決定できるため、前記化粧材２０の側部２０ａを壁仕上げ材９ｂに接するように分電盤１０を凹部７へ埋め込んで施工することが容易になる。
【００２１】
請求項８に記載の発明は、例えば、図２、図４に示すように、
請求項５〜７のいずれか一項に記載の分電盤の取り付け構造において、
前記化粧材２０は前記分電盤１０にビス８で着脱可能に止められることを特徴とする。
【００２２】
請求項８に記載の発明によれば、前記化粧材２０が前記分電盤１０にビス８で着脱可能に止められることにより、壁仕上げ材９ｂを前記分電盤１０に延設して取付ける際に化粧材２０を取り外し等することのみにより、壁仕上げ材９ｂを分電盤１０の境界部分または側部１０ａに取付けることができるため、作業効率を向上できる。
【００２３】
請求項９に記載の発明は、例えば、図１に示すように、
請求項１〜８のいずれか一項に記載の分電盤の取り付け構造において、
前記分電盤１０が取り付けられた前記内壁の外側は外壁３０であり、この外壁３０側に充電器４０が配置されていることを特徴とする。
【００２４】
請求項９に記載の発明によれば、前記分電盤１０が取り付けられた前記内壁の外側は外壁３０であり、この外壁３０側に充電器４０が配置されていることにより、この外壁３０と充電器４０との距離を近くすることができるため、充電器４０への配線を短くすることができ、分電盤から屋外までの配線作業を容易にすることができる。
【発明の効果】
【００２５】
本発明によれば、分電盤を内壁から取り外し等せずに、壁仕上げ材等を分電盤周囲の美観を損なわずに内壁に取付けること可能にする分電盤の取り付け構造を提供することができる。
【図面の簡単な説明】
【００２６】
【図１】本発明に係る分電盤の取り付け構造の一例を示す図であり、（ａ）は断平面図、（ｂ）は正面図、（ｃ）は図１（ｂ）のＩ-Ｉ断面図、（ｄ）は桟の斜視図である。
【図２】同、分電盤に化粧材を取付けた例を示す斜視図である。
【図３】同、施工手順の一例を示す側断面図である。
【図４】本発明に係る分電盤の取り付け構造の他の一例を示す側断面図である。
【図５】従来の分電盤の取り付け構造の一例を示す側断面図である。
【発明を実施するための形態】
【００２７】
＜実施の形態＞
図１〜図４を参照して、本実施の形態における分電盤の取付け構造について、説明する。
【００２８】
始めに、ユニット住宅について説明する。周知のように、ユニット住宅は、箱状に形成された住宅ユニットを複数並べて組み合せることで施工される。住宅ユニットは、複数本の柱と、これらの柱の上端間どうしを結合する複数本の上梁と、前記柱の下端間どうしを結合する複数本の下梁とから略直方体状の骨組みが形成されるとともに骨組みに外壁材が必要に応じて取り付けられているものである（例えば、特開２００９−３５９９１号公報参照）。
【００２９】
そして、工場で製造された住宅ユニットはトラック等で建築現場まで輸送され、建築現場では、クレーン等を用いてこれら住宅ユニットが並べて組み合わされることでユニット住宅が施工される。
【００３０】
図１において、住宅ユニットの複数の柱１，１間に分電盤１０が取り付けられている。ここで、前記住宅ユニットの内壁の端部に凹部７が設けられ、この凹部７に埋め込まれるように前記分電盤１０が取り付けられ、隣り合う前記柱１，１に架け渡すように桟３が設けられている。桟３と柱１とはアングル材５ａを介して、止めねじ等により接合される。前記桟３は、その内部に配線可能な空洞３ｂと前記分電盤１０の近傍に孔３ａを有している。そして、前記桟３の孔３ａを通る配線５が前記分電盤１０と接続可能である。前記壁仕上げ材９ｂは、化粧材（化粧カバー）２０を取りはずした状態で、前記内壁に取り付けられている前記分電盤１０に延設して前記内壁に取り付けられている。ここで、前記住宅ユニットの内壁の端部とは、内壁面の中央部ではなく、内壁面の左右方向のいずれかの端部または端部側を意味する。
【００３１】
本実施の形態によれば、桟３を柱１，１間に設けることにより配線５を桟３の内部を通して分電盤１０の近傍まで容易に導くことができ、分電盤１０の近傍の孔３ａから配線５を出すことにより配線５を所定の場所に集めることができるため、分電盤１０へ配線５を接続することが容易になる。更に、前記壁仕上げ材９ｂが、前記内壁に取り付けられている前記分電盤１０に延設して前記内壁に取り付けることにより、分電盤１０を取り外す必要がなくなる。
【００３２】
また、図１に示すように、前記壁仕上げ材９ｂが少なくとも前記内壁と前記分電盤１０の境界部分まで設けられている。ここで、境界部分とは、住宅ユニットの内壁材としての面材９ａ（例えば、石膏ボート）と分電盤１０との境界部分であり、例えば、前記壁仕上げ材９ｂは面材９ａと分電盤１０とが接触する部分でまで設けられている。
【００３３】
本実施の形態によれば、前記壁仕上げ材９ｂが少なくとも前記内壁と前記分電盤１０の境界部分まで設けられていることにより、壁仕上げ材９ｂを前記分電盤１０に接して設けることができるため、分電盤１０の周囲の美観を向上することができる。
【００３４】
また、図１に示すように、前記壁仕上げ材９ｂは前記分電盤１０の一部を覆っている。ここで、分電盤１０の一部とは、分電盤１０の面材９ａからの立ち上がり部分または凹部７に埋め込まれた分電盤１０の一部である。
【００３５】
本実施の形態によれば、前記壁仕上げ材９ｂは前記分電盤１０の一部を覆っていることにより、分電盤１０と内壁とに隙間がある場合でも前記壁仕上げ材９ｂにより隙間を確実に覆うことができるため、分電盤１０の周囲の美観を向上することができる。
【００３６】
また、図１に示すように、前記分電盤１０の一部は前記分電盤１０の側部１０ａである。
【００３７】
本実施の形態によれば、前記分電盤１０の一部が前記分電盤１０の側部１０ａであることにより、前記分電盤１０の側部１０ａに前記壁仕上げ材９ｂを取付けることができ、分電盤１０の外周における前記壁仕上げ材９ｂの施工が容易になるため、作業効率を向上することができる。
【００３８】
また、図１〜図３に示すように、前記分電盤１０の側部１０ａの一部が壁仕上げ材９ｂで覆われた状態で、化粧材２０が前記分電盤１０の側部１０ａの一部を覆うように取り付けられている。
【００３９】
本実施の形態によれば、前記分電盤１０の側部１０ａの一部が壁仕上げ材９ｂで覆われた状態で、化粧材２０が前記分電盤１０に取り付けられることにより、化粧材２０により前記分電盤１０の側部１０ａの一部を隠すことが可能となるため、更に分電盤１０の周囲の美観を向上できる。
【００４０】
また、図４に示すように、前記内壁と前記分電盤１０の側部１０ａとの間には凹部７が設けられ、前記凹部７に前記化粧材２０の少なくとも一部が満たされる。化粧材２０の外周に合うように面材９ａに凹部７を設け、分電盤１０と分電盤１０側の面材９ａの端部との間の凹部７に前記化粧材２０の少なくとも一部が満たされるように分電盤１０を配置する。そして、図４に示すように、壁仕上げ材９ｂで面材９ａの端部を覆うように取付け、前記凹部７に前記化粧材２０の側部２０ａの先端部が壁仕上げ材９ｂと接するように凹部７に挿入される。
【００４１】
本実施の形態によれば、前記凹部７に前記化粧材２０の少なくとも一部が満たされることにより、前記凹部７を前記化粧材２０で塞ぐことが可能になるため、分電盤１０の周囲の美観を向上することができる。
【００４２】
また、図１〜図４に示すように、前記化粧材２０の側部２０ａは前記内壁と垂直になるように設置される。
【００４３】
本実施の形態によれば、前記化粧材２０の側部２０ａが前記内壁と垂直になるように設置されることにより、前記化粧材２０を分電盤１０に取付けた状態での分電盤１０の凹部７へ埋め込む深さを容易に決定できるため、前記化粧材２０の側部２０ａを壁仕上げ材９ｂに接するように分電盤１０を凹部７へ埋め込んで施工することが容易になる。
【００４４】
また、図２、図４に示すように、前記化粧材２０は前記分電盤１０にビス８で着脱可能に止められる。分電盤１０には、ビス８と螺合するねじが設けられている。
【００４５】
本実施の形態によれば、前記化粧材２０が前記分電盤１０にビス８で着脱可能に止められることにより、壁仕上げ材９ｂを前記分電盤１０に延設して取付ける際に化粧材２０を取り外し等することのみにより、壁仕上げ材９ｂを分電盤１０境界部分または側部１０ａに取付けることができるため、作業効率を向上できる。
【００４６】
また、図１に示すように、前記分電盤１０が取り付けられた前記内壁の外側は外壁３０であり、この外壁３０側に充電器４０が配置されている。
【００４７】
本実施の形態によれば、前記分電盤１０が取り付けられた前記内壁の外側が外壁３０である。この外壁３０側に、例えば、ＰＨＶ車両、ＥＶ車両、蓄電装置等の充電機能を有する充電器４０が配置されている。これにより、この外壁３０と充電器４０との距離を近くすることができるため、充電器４０への配線を短くすることができ、分電盤から屋外までの配線作業を容易にすることができる。
【００４８】
（壁仕上げ材の取り付け方法）
図３に示すように、前記住宅ユニットの内壁の端部に凹部７が設けられ、この凹部７に埋め込まれるように前記分電盤１０と、柱１，１に架け渡すように孔３ａが設けられた桟３とが取り付けられる。ここで、桟３の内部の空洞３ｂに各居室等への配線５を集めて通してあり、これらの配線５を分電盤１０と結線する。ここで、配線５を分電盤１０へ導く孔３ａを分電盤１０の近傍に設け、分電盤１０と配線５とを結線する。そして、工場または建築現場で、化粧材８を分電盤１０からビス８を緩めて取り外し、壁仕上げ材９ｂを面材９ａ上に取付ける。図３（ｂ）に示す例では、分電盤１０の側部１０ａの一部を壁仕上げ材９ｂで覆って取付ける。その後、図３（ｃ）に示すように、化粧材８を分電盤１０にビス８で固定する。
【００４９】
本実施の形態によれば、桟３を柱１，１間に設けることにより配線５を桟３の内部を通して分電盤１０の近傍まで容易に導くことができ、分電盤１０の近傍の孔３ａから配線５を出すことにより配線５を所定の場所に集めることができるため、分電盤１０へ配線５を接続することが容易になり、且つ、前記壁仕上げ材９ｂが、前記内壁に取り付けられている前記分電盤１０に延設して前記内壁に取り付けることにより、分電盤１０を取り外す必要がなくなる。
【符号の説明】
【００５０】
１     柱
３     桟
３ａ   孔
３ｂ   空洞
５     配線
７     凹部
８     ビス
９ａ   面材
９ｂ   壁仕上げ材
１０   分電盤
２０   化粧材
３０   外壁
４０   充電器
【図１】
0005762807.tif 000002
【図２】
0005762807.tif 000003
【図３】
0005762807.tif 000004
【図４】
0005762807.tif 000005
【図５】
0005762807.tif 000006